(57)【特許請求の範囲】
【請求項１】
壁状構造物を構成する壁体の下端に形成された壁連続方向に続く溝状の凹所に納まるシアキー部を天面に備えるフーチングであって、
前記フーチングは、鉄骨製の枠状部の外側にコンクリートを打ち込むことにより形成されると共に、
前記シアキー部は、前記枠状部の上部に管下端を固着させた横断面形状が長方形でその長さ方向を壁連続方向に沿わせた角形鋼管とこの角形鋼管内に打ち込まれるコンクリートによって形成されるようになっている、壁状構造物のフーチング。
【請求項２】
壁状構造物を構成する壁体の下端に形成された壁連続方向に続く溝状の凹所に納まるシアキー部を天面に備えるフーチングであって、
前記フーチングは、鉄骨製の枠状部の外側にコンクリートを打ち込むことにより形成されると共に、
前記シアキー部は、前記枠状部の上部に下端を固着させた形鋼を芯として形成されるようになっている、壁状構造物のフーチング。
【請求項３】
前記フーチングに、このフーチングの天面から上方に一部を突き出すように備えられる雄ネジ体と、
この雄ネジ体に螺装されるナット体と、
前記壁体の下端側の側部に取り外し可能に備えられると共に、前記雄ネジ体を通す通し孔を備えこの通し孔に前記雄ネジ体を通した状態で前記ナット体に支持されるブラケット体と、
を備えてなる調整治具における前記雄ネジ体の下端側を前記枠状部に取り外し可能に固定させてなる、請求項１又は請求項２に記載の壁状構造物のフーチング。
【発明の詳細な説明】
【技術分野】
【０００１】
この発明は、防潮堤、防波堤、擁壁などの壁状構造物のフーチングに関する。
【背景技術】
【０００２】
プレキャスト鉄筋コンクリート製品（ＰＣａ）は、防潮堤、防波堤、擁壁などの壁状構造物の構成部材としても利用されている。ＰＣａは、壁状構造物の強靱性・耐久性を高めると共に、その施工の容易化、工期の短縮化に寄与する。
この種の壁状構造物の上部工は、壁体とフーチングとから構成される。前記強靱性・耐久性の観点からは、前記壁体とフーチングとは、シアキー部を介して接合されることが望まれる。
【発明の概要】
【発明が解決しようとする課題】
【０００３】
この発明が解決しようとする主たる問題点は、この種の壁状構造物を構成するフーチングとＰＣａの壁体との接合部に、シアキー部を容易且つ適切に形成可能とする点にある。
【課題を解決するための手段】
【０００４】
前記課題を達成するために、この発明にあっては、第一の観点から、壁状構造物のフーチングを、壁状構造物を構成する壁体の下端に形成された壁連続方向に続く溝状の凹所に納まるシアキー部を天面に備えるフーチングであって、
前記フーチングは、鉄骨製の枠状部の外側にコンクリートを打ち込むことにより形成されると共に、
前記シアキー部は、前記枠状部の上部に管下端を固着させた横断面形状が長方形でその長さ方向を壁連続方向に沿わせた角形鋼管とこの角形鋼管内に打ち込まれるコンクリートによって形成されるようになっている、ものとした。
【０００５】
前記シアキー部はフーチング内の鉄骨製の枠状部に固着された前記鋼管を型枠としてこの鋼管内へのコンクリートの打ち込みによって形成することができる。かかるシアキー部は前記鋼管とその内部に打ち込まれたコンクリートとからなり、強靱であり、せん断力の伝達に最適な構造を持つ。
【０００６】
また、前記課題を達成するために、この発明にあっては、第二の観点から、壁状構造物のフーチングを、壁状構造物を構成する壁体の下端に形成された壁連続方向に続く溝状の凹所に納まるシアキー部を天面に備えるフーチングであって、
前記フーチングは、鉄骨製の枠状部の外側にコンクリートを打ち込むことにより形成されると共に、
前記シアキー部は、前記枠状部の上部に下端を固着させた形鋼を芯として形成されるようになっている、ものとした。
【０００７】
かかる構成によれば、前記シアキー部をフーチング内の鉄骨製の枠状部に固着された前記形鋼を利用して形成することができる。かかるシアキー部は前記形鋼と前記フーチングに壁体を支持させた状態から両者の間に注入されて前記形鋼を芯としてその外側で硬化されるモルタルなどから形成され、強靱であり、せん断力の伝達に最適な構造を持つ。
【０００８】
また、前記第一の観点又は第二の観点に係る発明において、前記フーチングに、このフーチングの天面から上方に一部を突き出すように備えられる雄ネジ体と、
この雄ネジ体に螺装されるナット体と、
前記壁体の下端側の側部に取り外し可能に備えられると共に、前記雄ネジ体を通す通し孔を備えこの通し孔に前記雄ネジ体を通した状態で前記ナット体に支持されるブラケット体と、
を備えてなる調整治具における前記雄ネジ体の下端側を前記枠状部に取り外し可能に固定させてなる、ようにしておくことが、この発明の好ましい態様の一つである。
【０００９】
このようにした場合、前記フーチング上に前記壁体を支持させた状態を、両者の間に充填剤を注入してなす仕上げ施工が完了するまでの間、壁体の傾きを調整可能に維持することができる。
【発明の効果】
【００１０】
この発明によれば、壁状構造物を構成するフーチングとＰＣａの壁体との接合部に、シアキー部を容易且つ適切に形成することができる。
【図面の簡単な説明】
【００１１】
【図１】図１は、この発明の一実施の形態にかかるフーチングを構成する枠状部及び鋼管の斜視図である。
【図２】図２は、前記フーチングの斜視図である。
【図３】図３は、前記フーチング上に壁体を支持させた状態を示した斜視図である。
【図４】図４は、図３の状態から前記フーチングと壁体の接合部に充填剤を注入した施工完了状態を示した斜視図である。
【図５】図５は、図３の状態を示した側面構成図である。
【図６】図６は、調整治具の利用状態を示した斜視図である。
【図７】図７は、図６の状態を示した側面構成図である。
【図８】図８は、この発明の一実施の形態（第二例）にかかるフーチングを構成する枠状部及び形鋼の斜視図である。
【発明を実施するための形態】
【００１２】
以下、図１〜図８に基づいて、この発明の典型的な実施の形態について、説明する。この実施の形態にかかるフーチングＦは、防潮堤、防波堤、擁壁などの壁状構造物の一部となるものである。かかるフーチングＦは、壁体Ｗと一緒に壁状構造物の上部工をなすものである。防潮堤の場合には、かかるフーチングＦは典型的には、基礎となる鋼管杭の杭頭部（図示は省略する。）に固定される。
【００１３】
前記フーチングＦは、前記壁状構造物を構成する壁体Ｗの下端５に形成された凹所５ａに納まるシアキー部１を天面２に備える。
【００１４】
図４は、前記フーチングＦと壁体Ｗの接合箇所を、地盤の記載を省略して表しており、また、前記フーチングＦについてはその要部のみを表して示している。
【００１５】
図４中、符号ＷはＰＣａの壁体であり、符号Ｆはフーチングである。壁体Ｗは、二つの幅広の側面６、６と、二つの幅狭の側面７、７とを有し、幅狭の側面７を図示しない隣り合う壁体Ｗとの接合部とするようになっている。かかる幅狭の側面７を隣り合う壁体Ｗの幅狭の側面７と突き合わせ配列される複数の壁体Ｗによって、図４におけるｘ方向（以下、この方向を壁連続方向ｘと称する。）に続く壁状構造物が構築されるようになっている。壁体Ｗの下端５は、前記壁連続方向ｘに長い長方形状の水平面となっている。前記凹所５ａは、前記壁連続方向ｘに続く溝状を呈している。
【００１６】
前記シアキー部１は、フーチングＦの天面２から上方に突出している。図示の例では、一つの壁体Ｗの凹所５ａに納まるシアキー部１は二つに区分されている。具体的には、シアキー部１は水平断面形状をそれぞれ長方形状とした二つの突出部１ａ、１ａから構成されている。各突出部１ａは、その長さ側を前記壁連続方向ｘに沿わせ、その幅側を前記壁連続方向ｘに直交させており、二つの突出部１ａ間には間隔１ｂが形成されている（図２）。
【００１７】
図示の例では、前記壁体Ｗの凹所５ａを挟んだ両側にそれぞれ、複数のスリーブ８、８…が内蔵されている（図５参照）。各スリーブ８はその筒軸を鉛直に配すると共に、壁体Ｗの下端５において筒口を開放させている。一方、前記フーチングＦの天面２であって前記シアキー部１を挟んだ両側にはそれぞれ、後述の枠状部４に固定された鉄筋３の上端側が上方に向けて突出している。そして、図示の例では、前記壁体Ｗの凹所５ａにフーチングＦのシアキー部１を納め、かつ、フーチングＦの前記複数の鉄筋３、３…の上端側をそれぞれ前記壁体Ｗの対応するスリーブ８にそれぞれ納めて、フーチングＦの天面２と壁体Ｗの下端５とを突き合わせ、フーチングＦ上に壁体Ｗを支持するようになっている。
【００１８】
前記フーチングＦは、鉄骨製の枠状部４の外側にコンクリートＣを打ち込むことにより形成されている。それと共に、前記シアキー部１は、前記枠状部４の上部に管下端を固着させた鋼管１ｃとこの鋼管１ｃ内に打ち込まれるコンクリートＣ’によって形成されるようになっている。
【００１９】
図示の例では、前記枠状部４は、Ｈ形断面の鉄骨４ａによって形成されている。図示の例では、前記枠状部４は、前記壁連続方向ｘに直交するように配される第一鉄骨４ａ’と、前記壁連続方向ｘに沿うように配される第二鉄骨４ａ”とを、組み合わせることで構成されている。図示の例では、二本の第一鉄骨４ａ’、４ａ’を、二本の第二鉄骨４ａ”、４ａ”によって連結させることで、四角形の枠内空間４ｅを持った前記枠状部４が形成されている。かかる四本の鉄骨４ａ…４ａは、そのフランジ４ｂを水平に位置させるように組み合わされている。
【００２０】
また、図示の例では、前記鋼管１ｃを、角形鋼管１ｃとしている。図示の例では、二本の前記第一鉄骨４ａ’、４ａ’にそれぞれ、鋼管１ｃが固着されている。かかる鋼管１ｃは、横断面形状を略長方形状とすると共に、その全長の約半分を前記枠内空間４ｅ上に位置させた状態で前記第一鉄骨４ａ’のフランジ４ｂ上に位置される管下端をかかるフランジ４ｂに溶着させている。また、二つの前記鋼管１ｃは、その長さ方向を前記壁連続方向ｘに沿わせるように前記枠状部４の上部に固定されている（図１）。
【００２１】
前記枠状部４の前記枠内空間４ｅ及び二箇所の前記鋼管１ｃ、１ｃの内部がコンクリートＣ’で満たされるように、前記枠状部４の外側にコンクリートＣを打ち込むことにより、内部に鉄骨４ａ製の枠状部４を有し、天面２に二つの前記突出部１ａ、１ａよりなる前記シアキー部１を備えたフーチングＦが形成される（図１から図２）。図示の例では、前記鉄筋３は、前記枠内空間４ｅ側において、鉄骨４ａの上側のフランジ４ｂに形成された貫通孔と下側のフランジ４ｂに形成された貫通孔とに通され、この鉄筋３の下端にネジ付けられるナット３ａと、この鉄筋３の中間部に螺装されたロックナット３ｂとにより前記鉄骨４ａに固定されるようになっている。前記コンクリートは枠状部４の上側では前記鉄筋３の上端より下方において前記鉄骨４ａの上側のフランジ４ｂを所定のかぶり厚さをもって覆うように打ち込まれる（図５）。
【００２２】
この実施の形態にかかるフーチングＦは、前記シアキー部１をフーチングＦ内の鉄骨４ａ製の枠状部４に固着された前記鋼管１ｃを型枠としてこの鋼管１ｃ内へのコンクリートの打ち込みによって形成することができる。かかるシアキー部１は前記鋼管１ｃとその内部に打ち込まれたコンクリートＣ’とからなり、強靱であり、せん断力の伝達に最適な構造を持つ。
【００２３】
また、この実施の形態にあっては、前記フーチングＦは、このフーチングＦ上に前記のように壁体Ｗを支持させた状態を、両者の間にモルタルやグラウトなどの充填材Ｇを注入してなす仕上げ施工が完了するまでの間、壁体Ｗの傾きを調整可能に維持する調整治具Ｊを構成する雄ネジ体９を取り外し可能に備えている。
【００２４】
図示の例では、かかる調整治具Ｊは、前記壁体Ｗの幅広の側面６側においてそれぞれ、前記壁連続方向ｘにおいて間隔を開けて二つ配され、一つの壁体Ｗと一つのフーチングＦとに対し四つの調整治具Ｊ…Ｊを用いている。
【００２５】
かかる調整治具Ｊは、前記フーチングＦの天面２から上方に一部を突き出すように備えられる雄ネジ体９と、この雄ネジ体９に螺装されるナット体１０と、前記壁体Ｗの下端５側の側部（図示の例では前記幅広の側面６）に取り外し可能に備えられると共に、前記雄ネジ体９を通す通し孔１１ｃを備えこの通し孔１１ｃに前記雄ネジ体９を通した状態で前記ナット体１０に支持されるブラケット体１１とを備えてなる。
【００２６】
図示の例では、前記雄ネジ体９は、前記第一鉄骨４ａ’の上側のフランジ４ｂに形成された貫通孔に下端側を通されると共に、前記上側のフランジ４ｂの下面側に突き出すこの雄ネジ体９の下端にはナット状のインサート９ａが螺装されるようになっている。そして、前記フーチングＦを、かかる雄ネジ体９にインサート９ａを螺装させた状態で前記のように打ち込まれるコンクリートＣによって形成させるようにしており、前記雄ネジ体９の一部、すなわち上端側はかかるフーチングＦの天面２から鉛直に突き出すようになっている。前記ナット体１０は、かかる雄ネジ体９におけるフーチングＦの天面２から突き出した箇所に螺装されている。
【００２７】
前記ブラケット体１１は、縦板部分１１ａと、横板部分１１ｂとを有し、縦板部分１１ａをもって前記壁体Ｗの側部に取り外し可能に備えられるようになっている。図示の例では、前記壁体Ｗに内蔵されたナット状のインサート１１ｅに、前記縦板部分１１ａの貫通孔を通じてボルト１１ｄをネジ付けることで前記壁体Ｗにブラケット体１１を取り付るようにしている。前記雄ネジ体９を通す通し孔１１ｃは前記横板部分１１ｂに形成されている。図中符号１１ｆは、前記ナット体１０との間で前記横板部分１１ｂを挟持する締め込みナットである。
【００２８】
かかる調整治具Ｊを構成する前記ナット体１０を螺進退させることでフーチングＦ上に傾きなく壁体Ｗを支持させることが可能となる。図示の例では、前記螺進退によって四つの調整治具Ｊ…Ｊのナット体１０が同一の水平面上に位置するようにした状態から、前記雄ネジ体９をブラケット体１１の通し孔１１ｃに通しつつ、フーチングＦ上に前記のように壁体Ｗを支持させるようにする(図７)この図７の状態から、フーチングＦの天面２と壁体Ｗの下端５との間に前記凹所５ａ内が充填剤Ｇで満たされるように前記充填剤Ｇを注入する。この充填剤Ｇの硬化により前記仕上げ施工が完了し、その後、前記雄ネジ体９をフーチングＦ内のインサート９ａから取り外し、かつ、前記ボルトを壁体Ｗのインサート１１ｅから取り外して調整治具Ｊの撤去がなされる。なお、図４中、符号Ｗ’で示されるのは、前記充填剤Ｇの注入用のエア抜き孔である。
【００２９】
図８は、前記シアキー部１を、前記枠状部４の上部に下端を固着させた形鋼１ｄによって形成されるようにした例を示している。図示の例では、Ｈ形鋼１ｄ’をその長さ方向に直交する向きに切断すると共に、切断端部を前記第一鉄骨４ａ’のフランジ４ｂに溶着させることにより、前記シアキー部１を形成させる形鋼１ｄを前記枠状部４の上部に備えさせている。かかるＨ形鋼１ｄ’のフランジは第一鉄骨４ａ’の長さ方向に平行をなすように配されている。このようにした場合、前記シアキー部１をフーチングＦ内の鉄骨４ａ製の枠状部４に固着された前記形鋼１ｄを利用して形成することができる。かかるシアキー部１は前記形鋼１ｄと前記フーチングＦに壁体Ｗを支持させた状態から両者の間に注入されて前記形鋼１ｄを芯としてその外側で硬化されるモルタルなどの前記充填材Ｇから形成され、強靱であり、せん断力の伝達に最適な構造を持つ。なお、この図８に示される例のその余の構成は図１〜図７に示される例と実質的に同一であるので、その説明は省略する。
【００３０】
なお、当然のことながら、本発明は以上に説明した実施態様に限定されるものではなく、本発明の目的を達成し得るすべての実施態様を含むものである。
【符号の説明】
【００３１】
Ｗ  壁体
Ｆ  フーチング
Ｃ、Ｃ’  コンクリート
１  シアキー部
４  枠状部
４ａ  鉄骨
５  下端
５ａ  凹所
【図１】
0006395466.tif 000002
【図２】
0006395466.tif 000003
【図３】
0006395466.tif 000004
【図４】
0006395466.tif 000005
【図５】
0006395466.tif 000006
【図６】
0006395466.tif 000007
【図７】
0006395466.tif 000008
【図８】
0006395466.tif 000009